(57)【要約】【課題】本発明は、遮熱・断熱のために建物の構造として遮熱・断熱パネルを組み込むのではなく、既成の建物（被覆物）に外付けするだけで遮熱・断熱を奏することができる、運搬容易で装着が簡単な取り付け遮熱パネルを提案する。【解決手段】本発明に係る取り付け遮熱パネルは、被覆物の表面に被覆させて、該被覆物との間の熱伝導を調整する熱伝導調整パネルにおいて、表面と裏面とが断面により画され、断熱材からなる断熱パネル層と、表面と裏面とが断面により画され、断熱気泡シートの少なくとも裏面に遮熱シートが貼着され、該断熱気泡シートに遮熱シートが積層された遮熱シート層と、表面と裏面とが縁部により画され、前記断熱パネル層の表面を覆うクロスシートと、を含み、前記断熱パネル層の裏面に前記遮熱シート層の表面が貼着され、該断熱パネル層の表面が前記クロスシートの裏面に貼着される。【選択図】図１
2018145697.tif 000002
【特許請求の範囲】
【請求項１】
被覆物の表面に被覆させて、該被覆物との間の熱伝導を調整する熱伝導調整パネルにおいて、
表面と裏面とが断面により画され、断熱材からなる断熱パネル層と、
表面と裏面とが断面により画され、断熱気泡シートの少なくとも裏面に遮熱シートが貼着され、該断熱気泡シートに遮熱シートが積層された遮熱シート層と、
表面と裏面とが縁部により画され、前記断熱パネル層の表面を覆うクロスシートと、
を含み、
前記断熱パネル層の裏面に前記遮熱シート層の表面が貼着され、該断熱パネル層の表面が前記クロスシートの裏面に貼着された取り付け遮熱パネル。
【請求項２】
前記遮熱シート層を構成する前記断熱気泡シートの表面に、更に遮熱シートが積層された、請求項１に記載の取り付け遮熱パネル。
【請求項３】
前記断熱パネル層の断熱材の表面に、遮熱シート又は前記遮熱シート層が積層された、請求項１又は請求項２に記載の取り付け遮熱パネル。
【請求項４】
前記クロスシートの縁部が、前記断熱パネル層と前記遮熱シート層の断面を覆い、該遮熱シート層の裏面に接着された、請求項１乃至請求項３のいずれか１項に記載の取り付け遮熱パネル。
【請求項５】
前記クロスシートの縁部が、前記断熱パネル層の断面を覆い、該断熱パネル層と前記遮熱シート層の間に挿入され、該断熱パネル層の裏面と該遮熱シート層の表面に貼着された、請求項１乃至請求項３のいずれか1項に記載の取り付け遮熱パネル。
【請求項６】
前記断熱材は、発泡スチロール材により形成した、請求項１に記載の取り付け遮熱パネル。
【請求項７】
前記遮熱シートは、アルミシートである、請求項１に記載の取り付け遮熱パネル。
【請求項８】
前記被覆物の表面に突出した構造物に、該被覆物の表面と前記パネルの裏面を成す前記遮熱シート層の裏面との間に空気層を設けて装着することを特徴とする、請求項１に記載の取り付け遮熱パネル。
【請求項９】
遮熱シート層の表面に断熱パネル層が積層され、該断熱パネル層の表面がクロスシートで覆われて、該遮熱シート層の裏面に遮熱シートが露出した取り付け遮熱パネルを準備するステップと、
壁や天井等の被覆物の表面に、該表面から突出させてパネル装着具を取り付けるステップと、
前記被覆物の表面と前記取り付け遮熱パネルの裏面との間に空気層が形成されるように、本発明に係る取り付け遮熱パネルを前記パネル装着具に装着するステップと、
を含む、取り付け遮熱パネルの装着方法。
【発明の詳細な説明】
【技術分野】
【０００１】
本発明は、天井や壁などの建物内部の被覆物の表面に被覆させて、被覆物との間の熱伝導を調整する取り付け遮熱パネルに関する。
【背景技術】
【０００２】
従来より、建物内の冷暖房の空調効果を高めるために、発泡合成樹脂材などの断熱材を壁や床、屋根野地板などの基板と一体化する建築用板が用いられてきた。しかし、大気（外界）や屋内などからの熱射線を反射する機構が備わっていなかったため、これを断熱材が吸収して蓄熱してしまい、屋内の空調効果を低効率にしていた。
【０００３】
すなわち、断熱材が熱射線を吸収することにより、夏は昼の太陽熱を蓄熱して建物内の温度を引き上げる作用をし、冬は屋内からの熱を蓄積して高温になって建物内の対流効果を弱める作用をし、屋内の空調効果を弱める作用を引き起こしていた。このため、熱射線を遮断し、断熱構造が必要以上に蓄熱しないように、種々の発明がなされている。
【０００４】
特許文献１に係る建築用板は、ラワンベニヤ板あるいはプラスターボードまたは鉄板を基板とし、該基板の片面に板体の周囲および適宜間隔に帯状のゴム材を配し、このゴム材の間に発泡合成樹脂板を配し、さらにその上にアルミ蒸着ポリエステルフィルムと独立した空気泡を接合層により一体としたエアーマットを全面被覆積層一体とした、床材あるいは屋根下地材として適した建築用板である。
しかし、この建築用板は、エアーマットの表面に貼着したアルミ蒸着ポリエステルフィルムが、建物内側に面しているため、外気からの熱射線を反射する効果は弱く、エアーマットを含めた建築用板自体の蓄熱は回避できない。
【０００５】
また、特許文献２には、野地合板と断熱材とを接合し、一体化してなり、野地合板と断熱材との間における内部に通気層が設けられると共に、通気層の内底面に厚みが３０μｍ〜７０μｍの金属薄膜が貼着されて熱線反射層が設けられることにより通気層の内底面に遮熱層が付与された屋根パネル及びこれを用いた屋根下地構造が開示されている。
しかし、熱線反射層が通気層の内底面に設けられており、外気に面する野地合板の表面には熱線反射層が設けられていないため、野地合板の表面が吸収した熱線からの熱は、野地合板に接してこれを支持する断熱材に直接伝導し、断熱材に蓄熱される。
【０００６】
さらに、特許文献３、４には、断熱層の中央及び両側に、野路垂木兼用の縦桟を一体固着し、断熱層及び縦桟で形成した平坦表面に、条溝群及び肉厚部を配し、表裏面が熱線反射機能を備えた遮熱反射層を断熱層に層着し、遮熱反射板上に通気胴縁を介して屋根下地材を、通気層を確保した形態で断熱層と一体化し、通気層と遮熱反射層とで屋根からの過加熱に対抗し、条溝群と遮熱反射層とによって屋内冷暖房を断熱保護する屋根複合パネルが開示されている。この屋根複合パネルの構造においても、断熱材上に積層された遮熱反射層（熱線反射層）は通気層の内底面に配置されるが、特許文献２に係る屋根パネルと異なり、通気層は屋根下地材と遮熱反射層間に敷設された通気胴縁により隔てられて、屋根下地材の表面が吸収した熱が断熱材まで到達しにくい構成となっている。しかし、通気胴縁として角材を遮熱反射層間に配列して接着剤で固着するため、大変手間がかかり高コストが見込まれる。
【０００７】
以上に例示した発明に係る断熱材、遮熱材あるいはその構造は、主に屋根を構成する構造の一部として、屋根そのものに組み込まれる構造である。建築現場で、野路板や垂木、柱など他の建築構成材と組み合わせて組み立てるため、手間がかかり、高コストになる。また、既存の建物の屋根や床などに後から組み入れようとすると、屋根や床などの構成物を一度破壊する必要があり、後付けするのは事実上不可能である。
【０００８】
さらに、特許文献５に係る断熱壁構造物は、板材と、板材の一面に形成された断熱材と、板材の縁に設けられた枠材とを有する断熱パネルを、間隔をおいて隣り合う柱間に取り付ける構造である。断熱パネルの断熱材との間に空隙を形成された状態で、断熱パネルに遮熱シートを取り付け、遮熱シートの一面との間に空隙を形成された状態で、外装板を取り付ける。予め製造した断熱パネルを柱間に取り付けるため、作業が一部簡略化されるが、外装板と断熱パネル間に各々間隙を設けて遮熱シートを取り付けるため、やはり既存の構造への組み込みを必要とする。
【０００９】
特許文献６の住宅用多重遮熱構造は、外側壁材と、外側壁材の室内側Ｐに配置され室内側Ｐに露出する断熱材を備え、断熱材の室内側Ｐの面及び断熱材の室外側Ｑの面に遮熱塗料が塗布されて、断熱材が外側壁材と離間して配置されることで、断熱材と外側壁材との間に空隙Ｓが形成されると共に、壁材の空隙Ｓは壁材の上端において屋根下地材の空隙Ｓと連通し、壁材の空隙Ｓ内の空気を屋根下地材の空隙Ｓを介して屋根に設けられた排気口から廃棄可能にした。しかし、この特許文献６の住宅用多重遮熱構造も建築物に組み込む構造であり、既成の壁や天井等の構造に簡易にパネルを取り付ける類の発明ではない。
【００１０】
【特許文献１】実登３０１７６６６号公報
【特許文献２】特開２０１４−１７７８０５号公報
【特許文献３】特開２０１０−８４４８１号公報
【特許文献４】特開２０１０−７１０４１号公報
【特許文献５】特開２０１６−３７７９１号公報
【特許文献６】特開２０１３−８７５５７号公報
【発明の概要】
【発明が解決しようとする課題】
【００１１】
そこで、本発明は、天井や壁などの被覆物表面に取り付けて被覆物との間の熱伝導を調整し、室内の遮熱・断熱効果を奏することができる、運搬容易で装着が簡単な取り付け遮熱パネルを提案する。
【課題を解決するための手段】
【００１２】
本発明に係る取り付け遮熱パネルは、被覆物の表面に被覆させて、該被覆物との間の熱伝導を調整する熱伝導調整パネルにおいて、表面と裏面とが断面により画され、断熱材からなる断熱パネル層と、表面と裏面とが断面により画され、断熱気泡シートの少なくとも裏面に遮熱シートが貼着され、該断熱気泡シートに遮熱シートが積層された遮熱シート層と、表面と裏面とが縁部により画され、前記断熱パネル層の表面を覆うクロスシートと、を含み、前記断熱パネル層の裏面に前記遮熱シート層の表面が貼着され、該断熱パネル層の表面が前記クロスシートの裏面に貼着される。
【００１３】
本発明に係る取り付け遮熱パネルは、前記遮熱シート層を構成する前記断熱気泡シートの表面に、更に遮熱シートを積層してもよい。
【００１４】
本発明に係る取り付け遮熱パネルは、前記断熱パネル層の断熱材の表面に、遮熱シート又は前記遮熱シート層を積層してもよい。
【００１５】
本発明に係る取り付け遮熱パネルは、前記クロスシートの縁部が、前記断熱パネル層と前記遮熱シート層の断面を覆い、該遮熱シート層の裏面に接着されるのが好適である。
【００１６】
本発明に係る取り付け遮熱パネルは、前記クロスシートの縁部が、前記断熱パネル層の断面を覆い、該断熱パネル層と前記遮熱シート層の間に挿入され、該断熱パネル層の裏面と該遮熱シート層の表面に貼着されてもよい。
【００１７】
本発明に係る取り付け遮熱パネルにおいて、前記断熱材はいわゆる発泡スチロール材を始めとする発泡合成樹脂材により形成するのが好適である。
【００１８】
本発明に係る取り付け遮熱パネルにおいて、前記遮熱シートは、いわゆるアルミシートであってもよい。
【００１９】
本発明に係る取り付け遮熱パネルは、前記被覆物の表面に突出した構造物に、該被覆物の表面と前記パネルの裏面を成す前記遮熱シート層の裏面との間に空気層を設けて装着するのが好適である。
【００２０】
本発明に係る取り付け遮熱パネルの製造方法は、
（１）断熱気泡シートの裏面及び／又は表面に、遮熱シートを積層させた遮熱シート層を準備するステップと、
（２）断熱パネル層及びクロスシートを準備するステップと、
（３）前記遮熱シート層の表面側に前記断熱パネル層を貼着して積層するステップと、
（４）前記断熱パネル層の表面に前記クロスシートを貼着して該断熱パネル層を覆うステップと、
を含む。
【００２１】
本発明に係る取り付け遮熱パネルの装着方法は、
（１）遮熱シート層の表面に断熱パネル層が積層され、該断熱パネル層の表面がクロスシートで覆われて、該遮熱シート層の裏面に遮熱シートが露出した取り付け遮熱パネルを準備するステップと、
（２）壁や天井等の被覆物の表面に、該表面から突出させてパネル装着具を取り付けるステップと、
（３）前記被覆物の表面と前記取り付け遮熱パネルの裏面との間に空気層が形成されるように、本発明に係る取り付け遮熱パネルを前記パネル装着具に装着するステップと、
を含む。
【発明の効果】
【００２２】
本発明に係る取り付け遮熱パネルは、壁や天井などの被覆物の表面との間に空気層を設けて、当該被覆物の表面に被覆させることにより、遮熱シートが被覆物からの熱射線を遮断して遮熱することができる。本発明の取り付け遮熱パネルを被覆物の表面に直接被覆させた場合でも、本取り付け遮熱パネル裏面の遮熱シート層を構成する断熱気泡シートの表面に、更に遮熱シートを積層すれば、断熱気泡シートが空気層の役割を果たし、その表面に更に積層した遮熱シートが被覆物からの熱射線を遮断するので、一定の遮熱効果を上げることができる。
【００２３】
また、遮熱シート層（又は遮熱シート）を断熱パネル層の表面に積層した場合、被覆物内部側（室内側）からの熱射線を一定量遮熱することができる。したがって、このような本発明に係る取り付け遮熱パネルにおいては、表面と裏面に遮熱シート層を積層させた断熱パネル層が、必要以上に蓄熱するのを防ぐことができる。すなわち、断熱パネル層は、従来のように断熱材により形成されるので蓄熱効果が高いが、遮熱シート層を表面側に積層した断熱パネル層は、室内側および壁側からの熱射線を遮断することができるので、蓄熱を抑制することができる。
【００２４】
本発明に係る取り付け遮熱パネルは、壁や天井などの被覆物の表面との間に空気層を設けて被覆物に取り付けるのが好適であり、このような被覆物との間に設けた空気層により、被覆物側（建物側）からの熱を通気して、排気口などを通じて外界に逃がすことが可能である。したがって、本発明に係る取り付け遮熱パネルにおいては、断熱パネル層が必要以上に蓄熱するのを防ぐことができる。
【００２５】
以上のように、本発明に係る取り付け遮熱パネルは、夏であっても冬であっても、過度に蓄熱することがなく、被覆物と外界間の熱伝導を遅延させて調整するように構成された熱伝導調整パネルである。そのため、夏は昼の太陽熱を過度に蓄熱することなく素早く建物（被覆物）内を冷房できると共に大気（外界）から断熱することができる。また、冬は過度に蓄熱しないので建物（被覆物）内の対流効果を高めることができると共に、建物（被覆物）表面の壁等が大気（外界）中に直接熱放射するのを防ぐことができる。したがって、本発明に係る取り付け遮熱パネルを装着すれば、四季を通じて建物（被覆物）内の空調作用を高効率に保持することができる。
【００２６】
しかも、本発明に係る取り付け遮熱パネルは、断熱パネル層の裏面側に既成の遮熱シート層を接着して簡単に工場等で大量に製造でき、また、軽量であるので、トラックなどによる運搬や現場での持ち運びも容易である。また、クロスシートが室内側に露出するので、様々なデザインを施すことができる。
【００２７】
このような本発明に係る取り付け遮熱パネルは、従来のように、遮熱・断熱のために建物の構造として遮熱・断熱パネルを組み込むのではなく、既成の建物（被覆物）に取り付けるだけで遮熱・断熱を奏することができる。また、建物（被覆物）に装着させる面は発泡スチロール等からなる断熱パネル層であるので、極めて施工性に優れている。装着現場では壁などの被覆物に断熱パネル層の裏面を接着等するだけで容易に短時間で装着することができ、建物（被覆物）内の空調効果を著しく高めることができる。
【図面の簡単な説明】
【００２８】
【図１】（ａ）本発明に係る取り付け遮熱パネルの正面図（断面図）、（ｂ）本発明の他の実施形態に係る取り付け遮熱パネルの正面図（断面図）。
【図２】（ａ）本発明に係る遮熱シート層および断熱層の正面図（断面図）、（ｂ）本発明の他の実施形態に係る遮熱シート層および断熱層の正面図（断面図）。
【図３】壁に取り付けた本発明に係る取り付け遮熱パネルの断面図。
【図４】天井に取り付けた本発明に係る取り付け遮熱パネルの断面図。
【図５】吊構造を有する天井に取り付けた本発明に係る取り付け遮熱パネルの断面図。
【発明を実施するための最良の形態】
【００２９】
以下、図面を参照しながら、本発明に係る取り付け遮熱パネルの実施形態について説明する。なお、以下各図面を通して同一の構成要素には同一の符号を使用するものとする。
Ｉ．取り付け遮熱パネル
【００３０】
本発明に係る取り付け遮熱パネル１は、図３、図４のように、天井１２０や壁１１０などの被覆物１００の表面に被覆させて、被覆物１００との間の熱伝導を調整する熱伝導調整パネルであり、被覆物１００の表面に取り付けるタイプの取り付け遮熱パネル１である。
【００３１】
本発明に係る取り付け遮熱パネル１は、図１（ａ）、（ｂ）に示すように、
（１）表面と裏面とが断面により画され、断熱材からなる断熱パネル層２０と、
（２）表面と裏面とが断面により画され、断熱気泡シート１２の少なくとも裏面に遮熱シート１１が貼着され（図２（ａ）参照）、断熱気泡シート１２に遮熱シート１１が積層された遮熱シート層１０と、
（３）表面と裏面とが縁部により画され、断熱パネル層２０の表面を覆うクロスシート３０と、
を含む。
【００３２】
そして、本発明の取り付け遮熱パネル１は、図１（ａ）、（ｂ）のように、断熱パネル層２０の裏面に遮熱シート層１０の表面が貼着され、断熱パネル層２０の表面がクロスシート３０の裏面に貼着される。このような本発明の取り付け遮熱パネル１は、図３、図４のように、被覆物１００の表面と取り付け遮熱パネル１の裏面を成す遮熱シート層１０の裏面との間に空気層５０を設けて、被覆物１００の表面に取り付けるのが望ましい。
【００３３】
本発明の取り付け遮熱パネル１において、図２（ａ）に示す遮熱シート層１０を構成する断熱気泡シート１２の表面に、図２（ｂ）のように更に遮熱シート１１を積層してもよい。また、断熱パネル層２０を成す断熱材の表面に、遮熱シート１１を貼着してもよいし、あるいは遮熱シート層１０を積層してもよい。
【００３４】
断熱パネル層２０において、断熱材は、発泡性合成樹脂材により形成するのが好適であり、いわゆる発泡スチロール材や発泡ウレタン材、発泡フェノール材等により形成してもよいが、断熱性能があれば材料は特に限定されない。また、遮熱シート層１０を構成する遮熱シート１１は、アルミシートを用いるのが好ましく、ＪＩＳ規格に適合したアルミ箔からなるアルミシートを用いるのが好適であるが、遮熱作用があれば材料は特に限定されない。また、遮熱シート層１０の断熱気泡シート１２は、多数の空気泡を内包した、ポリエチレンやポリエステルなどからなる断熱性樹脂シートを用いるのが好適であるが、これも空気泡があれば材料は特に限定されるわけではない。また、クロスシートは室内側に露出するため、不燃材料や難燃材料で形成するのが望ましいが、不燃処理等を施してもよく、その材料は特に限定されない。
【００３５】
また、本発明の取り付け遮熱パネル１において、クロスシート３０の縁部は、図１（ａ）のように断熱パネル層２０と遮熱シート層１０の断面を覆い、遮熱シート層１０の裏面に接着するのが好適である。あるいは図１（ｂ）のように、断熱パネル層２０の断面を覆ったクロスシート３０の縁部を、断熱パネル層２０と遮熱シート層１０の間に挿入し、断熱パネル層２０の裏面と遮熱シート層１０の表面に接着してもよい。
【００３６】
この様な構成の本発明の取り付け遮熱パネル１は、被覆物１００の表面との間に空気層５０を設けて被覆物１００の表面に被覆させることにより、遮熱シート層１０の裏面の遮熱シート１１により、壁１１０など被覆物１００からの熱射線を遮断して遮熱することができる（図３、図４参照）。また、このように被覆物１００の表面間に空気層５０を形成することにより通気が可能であり、排気口を設けて熱を外界に逃がすことができる。
【００３７】
また、本発明の取り付け遮熱パネル１を被覆物１００の表面に直接被覆させた場合でも、本取り付け遮熱パネル１裏面の遮熱シート層１０を構成する断熱気泡シート１２の表面に、更に遮熱シート１１を積層すれば、断熱気泡シート１２が空気層の役割を果たし、その表面に更に積層した遮熱シート１１が被覆物１００からの熱射線を遮断するので、一定の遮熱効果を上げることができる。
【００３８】
従って、遮熱シート１１を断熱パネル層２０に貼着させて、遮熱シート層１０を断熱パネル層２０の表面に積層すれば、室内及びクロスシート３０からの熱射線を、断熱気泡シート１２を介して遮熱シート１１が遮断し、被覆物内部（室内）側からの熱射線を一定量遮熱することができる。
【００３９】
以上のように、本発明に係る取り付け遮熱パネル１を被覆物１００の表面に被覆させれば、被覆物１００側から、および被覆物１００の内部側（室内側）からの熱射線を遮熱することができる。したがって、本発明に係る取り付け遮熱パネル１においては、断熱パネル層２０が、必要以上に蓄熱するのを防ぐことができ、四季を通じて、特に夏に室内の空調効果を高めることができる。
【００４０】
本発明に係る取り付け遮熱パネル１は、被覆物１００の表面に突出した構造物に、被覆物１００の表面と取り付け遮熱パネル１の裏面を成す遮熱シート層１０の裏面との間に空気層５０を設けて装着するのが好適である。以下、実施例を用いて、本発明に係る取り付け遮熱パネル１をさらに詳細に説明する。
ＩＩ．実施例
【実施例１】
【００４１】
本実施例１に係る取り付け遮熱パネル１は、図３のように、例えば表面に突出した構造物として、外壁１１０（被覆物１００）の室内側表面に剥き出しに組まれた鋼材１１１に取り付けることができる。取り付け遮熱パネル１の裏面を被覆物１００の表面に対向させて、被覆物１００の表面に突出した鋼材１１１に取り付ける。図３では、鋼材１１１にジョイナーが取り付けられており、取り付け遮熱パネル１をジョイナーに嵌合すればよい。ジョイナーがない場合は、取り付け遮熱パネル１を直接鋼材１１１に接着してもよい。
【００４２】
実施例１のように、壁１１０に取り付ける取り付け遮熱パネル１の寸法は、約９１０ｍｍ×１８２０ｍｍ、あるいは約９１０ｍｍ×９１０ｍｍが典型的で、厚さは２５ｍｍや５０ｍｍが好ましいが、特に制限はなく、上記数値に限定されない。
【００４３】
鋼材１１１が外壁１１０の表面から突出した分だけ、取り付け遮熱パネル１の裏面と外壁１１０の表面との間に空気層５０が生じ、外壁１１０からの熱射線を遮熱シート層１０（取り付け遮熱パネル１の裏面）で反射することができる。したがって、このように被覆物１００（外壁１１０）の表面を、空気層５０を介して遮熱パネル１で覆うことで、遮熱・断熱を行うことができるとともに、被覆物１００（外壁１１０）との表面間に形成した空気層５０により通気を行うことができる。
【００４４】
なお、本発明の取り付け遮熱パネル１を被覆物１００の表面に直接被覆させた場合でも、裏面の遮熱シート層１０を構成する断熱気泡シート１２の表面に、更に遮熱シート１１を積層すれば、断熱気泡シート１２が空気層５０の役割を果たし、その表面に更に積層した遮熱シート１１が被覆物１００からの熱射線を遮断するので、一定の遮熱効果を上げることができる。
【００４５】
以上、本実施例１では、対象物として、例えばプレハブ建築等の外壁１１０（被覆物１００）を想定したが、木造建築物の場合は、その壁表面に突出した構造物として柱や桁、梁などに本発明の取り付け遮熱パネル１を装着してもよい。装着方法は上記実施例１の方法と同様である。
【実施例２】
【００４６】
本実施例２に係る取り付け遮熱パネル１は、図４のように、表面に突出した構造物として、例えば天井１２０（被覆物１００）の室内側表面に露出した桁材や梁材（以下）、「梁材等」という）に取り付けることができる。取り付け遮熱パネル１の裏面を天井板１２０の表面に対向させて、天井１２０の表面に突出した梁材等に取り付ける。ビスなどを用いて取り付け遮熱パネル１を梁材等に取り付けてもよいし、、接着剤を用いて固着してもよい。
【００４７】
実施例２のように、天井１２０に取り付ける取り付け遮熱パネル１の寸法は、約９１０ｍｍ×１８２０ｍｍ、あるいは約９１０ｍｍ×９１０ｍｍが標準的で、厚さは１５ｍｍが好ましいが、特に制限はなく、上記数値に限定されない。
【００４８】
梁材等が天井１２０の表面から突出している分だけ、取り付け遮熱パネル１の裏面と天井１２０の表面との間に空気層５０が生じ、天井１２０からの熱射線を遮熱シート層１０（取り付け遮熱パネル１の裏面）で反射することができる。したがって、このように天井１２０の表面を、空気層５０を介して取り付け遮熱パネル１で覆うことで、遮熱・断熱を行うことができるとともに、被覆物１００（天井１２０）との表面間に形成した空気層５０により通気を行うことができる。
【実施例３】
【００４９】
本実施例２に係る取り付け遮熱パネル１は、図５のように、天井骨格１２０及び壁１１０上部に吊り材１２１と野縁材１２２とにより構築された天井構造に、好適に使用することができる。壁１１０上部に設けられたジョイナー１２３と、野縁材１２２に設けられたジョイナー１２４に取り付け遮熱パネル１を嵌合させるだけでよい。
【００５０】
上記のように、本発明の取り付け遮熱パネル１は、断熱パネル層２０と遮熱シート層１０とクロスシート３０から構成されるので、大変軽量であり、大規模天井の脱落対策として平成２６年４月１日より施行されている国土交通省の告示第７７１号の重量制限を容易に満たすことができる。
【００５１】
天井骨格１２０と本実施例３に係る取り付け遮熱パネル１の間には、広い空気層５０が形成され、取り付け遮熱パネル１で天井を構成することで、遮熱・断熱を行うことができるとともに、この空気層５０により通気を行うことができる。
ＩＩＩ．取り付け遮熱パネルの製造方法
【００５２】
以上のように、本発明に係る取り付け遮熱パネル１の実施形態について説明したが、以下にその製造方法について説明する。すなわち、本発明に係る取り付け遮熱パネル１の製造方法は、
（１）断熱気泡シート１２の裏面及び／又は表面に、遮熱シート１１を積層させた遮熱シート層１０を準備するステップと、
（２）断熱パネル層２０及びクロスシート３０を準備するステップと、
（３）遮熱シート層１０の表面側に断熱パネル層２０を貼着して積層するステップと、
（４）断熱パネル層２０の表面にクロスシート３０を貼着して、断熱パネル２０層を覆うステップと、
を含む。このように、極めて容易に本発明に係る取り付け遮熱パネル１を大量に製造することができる。
ＩＶ．取り付け遮熱パネルの装着方法
【００５３】
本発明に係る取り付け遮熱パネル１の装着方法は、
（１）遮熱シート層１０の表面に断熱パネル層２０が積層され、当該断熱パネル層２０の表面がクロスシート３０で覆われて、遮熱シート層１０の裏面に遮熱シート１１が露出した、本発明に係る取り付け遮熱パネル１を準備するステップと、
（２）壁１１０や天井１２０等の被覆物１００の表面に、その表面から突出させてパネル装着具１０１を取り付けるステップと、
（３）被覆物１００の表面と取り付け遮熱パネル１の裏面との間に空気層５０が形成されるように、本発明に係る取り付け遮熱パネル１を前記パネル装着具に装着するステップと、
を含む。パネル装着具１０１は、例えば壁１１０や天井１２０に固定できるジョイナー等である。
【００５４】
柱や鋼材などの構造物が被覆物１００から突出している場合は、例えば接着剤を用いて固着してもよい。接着剤は被覆物１００の表面の材質などに合わせて適宜選択すればよく、特に限定されない。
【００５５】
以上のように、本発明に係る取り付け遮熱パネル１は、極めて簡単に既成の建物等の天井、壁、床上などの被覆物１００の表面に装着することができ、建物（被覆物）内の空調効果を著しく高めることができる。
【００５６】
以上、本発明に係る取り付け遮熱パネルについて説明したが、本発明は上記実施形態や実施例に限定されるものではない。本発明に係る取り付け遮熱パネルを被覆物に装着する方法も様々な形態をとることが可能で、装着する被覆物に応じてパネル装着具を適宜選択可能である。また、本発明に係る取り付け遮熱パネルを構成する発泡性合成樹脂材や断熱気泡シートなどの材料、材質、種類等も特に限定されず、その寸法、厚さも適宜変更可能である。
【００５７】
その他、本発明は、その主旨を逸脱しない範囲で当業者の知識に基づき種々の改良、修正、変更を加えた態様で実施できるものである。
【産業上の利用可能性】
【００５８】
本発明に係る取り付け遮熱パネルは、主として建物等の天井、壁などの表面に取り付けて、建物内の冷暖房効果を高めるために利用することができる。
【符号の説明】
【００５９】
１：本発明に係る取り付け遮熱パネル
１０：遮熱シート層
１１：遮熱シート
１２：断熱気泡シート
２０：断熱パネル層
３０：クロスシート
５０：空気層
１００：被覆物
１０１：パネル装着具
１１０：壁
１１１：鋼材
１２０：天井
１２１：吊り材
１２２：野縁材
１２３、１２４：ジョイナー
【図１】
2018145697.tif 000003
【図２】
2018145697.tif 000004
【図３】
2018145697.tif 000005
【図４】
2018145697.tif 000006
【図５】
2018145697.tif 000007